(57)【要約】【課題】仕口の強度・剛性が高い柱梁接合構造を提供する。【解決手段】柱と梁とが接合されている柱梁接合構造であって、  前記柱は、繊維方向が長手方向に沿う柱内側木質板材と、前記柱内側木質板材を両面から挟み繊維方向が長手方向に沿う一対の柱外側木質板材と、を有し、前記梁は、繊維方向が長手方向に沿う梁内側木質板材と、前記梁内側木質板材を両面から挟み繊維方向が長手方向と交差する高さ方向に沿う一対の梁外側木質板材と、を有し、前記一対の柱外側木質板材は、前記柱の長手方向と交差する幅方向に窪む凹部を有し、前記一対の梁外側木質板材は、前記梁内側木質板材よりも前記梁の長手方向に突出する一対の外側突出部を有し、前記一対の外側突出部が、前記凹部に嵌入されて柱と梁とが接合されている。【選択図】図３
2019203321.tif 000002
【特許請求の範囲】
【請求項１】
柱と梁とが接合されている柱梁接合構造であって、
前記柱は、繊維方向が長手方向に沿う柱内側木質板材と、前記柱内側木質板材を両面から挟み繊維方向が長手方向に沿う一対の柱外側木質板材と、を有し、
前記梁は、繊維方向が長手方向に沿う梁内側木質板材と、前記梁内側木質板材を両面から挟み繊維方向が長手方向と交差する高さ方向に沿う一対の梁外側木質板材と、を有し、
前記一対の柱外側木質板材は、前記柱の長手方向と交差する幅方向に窪む凹部を有し、
前記一対の梁外側木質板材は、前記梁内側木質板材よりも前記梁の長手方向に突出する一対の外側突出部を有し、
前記一対の外側突出部が、前記凹部に嵌入されて柱と梁とが接合されていることを特徴とする柱梁接合構造。
【請求項２】
交差する２方向に沿う梁と柱とが接合されている柱梁接合構造であって、
前記柱は、繊維方向が長手方向に沿う柱内側木質板材と、前記柱内側木質板材を両面から挟み繊維方向が長手方向に沿う一対の柱外側木質板材と、前記柱外側木質板材を前記柱内側木質板材と共に挟み繊維方向が長手方向に沿う柱最外側木質板材と、を有し、
前記梁は、繊維方向が長手方向に沿う梁内側木質板材と、前記梁内側木質板材を両面から挟み繊維方向が長手方向と交差する高さ方向に沿う一対の梁外側木質板材と、を有し、
前記２方向に沿う梁は、前記柱内側木質板材及び前記柱外側木質板材の面内方向に沿って接合される第１梁と、前記第１梁と交差する方向に沿って接合される第２梁であり、
前記第１梁は、前記一対の梁外側木質板材が前記梁内側木質板材よりも、当該第１梁の長手方向に突出する一対の外側突出部を有し、
前記柱において前記第１梁が接合される部位は、前記一対の柱外側木質板材が、前記柱の長手方向と交差する幅方向に窪む一対の第１凹部を有し、
前記第２梁は、前記梁内側木質板材と前記梁外側木質板材との、当該第２梁の長さ方向における一方の端部が揃えられており、
前記柱において前記第２梁が接合される部位は、前記柱外側木質板材に、前記第２梁の前記一方の端部が嵌入されて前記柱内側木質板材に当接可能な空隙を有しており、
前記柱最外側木質板材は、前記柱の幅方向において半分に分割され、分割された各々の前記柱最外側木質板材には前記第２梁が嵌入される第２凹部が各々形成されており、
前記一対の外側突出部が、前記一対の第１凹部に嵌入されて前記第１梁と前記柱とが接合されており、
前記第２梁の前記一方の端部が、前記空隙及び前記第２凹部に嵌入されて前記第２梁と前記柱とが接合されていることを特徴とする柱梁接合構造。
【請求項３】
請求項２に記載の柱梁接合構造であって、
前記第２梁は、前記梁内側木質板材における前記一方の端部に長手方向に沿う端部孔を有し、
前記柱は、前記第２梁の前記一方の端部が当接されたときに前記端部孔と連通し、前記柱内側木質板材の面外方向に沿う柱開孔を有し、
連通している前記端部孔と前記柱開孔とには、単一の鋼棒が収容されて接着されていることを特徴とする柱梁接合構造。
【請求項４】
交差する２方向に沿う梁と柱とが接合されている柱梁接合構造であって、
前記柱は、繊維方向が長手方向に沿う柱内側木質板材と、前記柱内側木質板材を両面から挟み繊維方向が長手方向に沿う一対の柱外側木質板材と、を有し、
前記２方向に沿う梁は、前記柱内側木質板材及び前記柱外側木質板材の面内方向に沿って接合される第１梁と、前記第１梁と交差する方向に沿って接合される第２梁であり、
前記第１梁は、繊維方向が長手方向に沿う梁内側木質板材と、前記梁内側木質板材を両面から挟み繊維方向が長手方向と交差する高さ方向に沿う一対の梁外側木質板材と、を有し、
前記一対の梁外側木質板材が前記梁内側木質板材よりも、当該第１梁の長手方向に突出する一対の外側突出部を有し、
前記柱において前記第１梁が接合される部位は、前記一対の柱外側木質板材が、前記柱の長手方向と交差する幅方向に窪む一対の第１凹部を有し、
前記一対の外側突出部が、前記一対の第１凹部に嵌入されて前記第１梁と前記柱とが接合されており、
前記第２梁は、長さ方向における一方の端部にスリットを有しており、
当該第２梁の長手方向に沿って突出されて前記柱に設けられ前記スリットに挿入されるプレートを介して接合されていることを特徴とする柱梁接合構造。
【請求項５】
請求項１乃至請求項４のいずれかに記載の柱梁接合構造であって、
互いに隣り合う前記柱に各々接合されている前記梁間には、介装梁が接合されており、
前記介装梁は、繊維方向が長手方向に沿う介装梁内側木質板材と、前記介装梁内側木質板材を両面から挟み繊維方向が長手方向に沿う一対の介装梁外側木質板材と、を有し、
前記一対の介装梁外側木質板材は、前記介装梁内側木質板材よりも長手方向に突出する一対の介装梁突出部を有し、
前記梁は、前記外側突出部が設けられている側とは反対側の端部に、前記梁内側木質板材が、前記一対の梁外側木質板材よりも突出する内側突出部が設けられており、
前記一対の介装梁突出部により両側から挟まれた前記内側突出部と、前記介装梁突出部とが接合されていることを特徴とする柱梁接合構造。
【請求項６】
請求項５に記載の柱梁接合構造であって、
前記内側突出部は、前記外側突出部よりも突出量が大きいことを特徴とする柱梁接合構造。
【請求項７】
請求項１に記載の柱梁接合構造の柱梁接合方法であって、
前記柱内側木質板材と、前記梁内側木質板材と、を仮接合する仮接合ステップと、
前記凹部を有する前記一対の柱外側木質板材により前記柱内側木質板材を両面から挟み、前記柱外側木質板材と前記柱内側木質板材とを接合する柱接合ステップと、
前記一対の梁外側木質板材における各々の一方の端部を前記凹部に嵌入させると共に前記梁内側木質板材を両面から挟み、前記梁外側木質板材と前記柱内側木質板材及び前記梁内側木質板材とを接合する梁接合ステップと、
を有することを特徴とする柱梁接合方法。
【請求項８】
請求項２に記載の柱梁接合構造の柱梁接合方法であって、
前記柱内側木質板材と、前記第１梁を構成する前記梁内側木質板材と、を仮接合する仮接合ステップと、
前記第２梁を、前記柱内側木質板材の面外方向に沿わせ当該第２梁の一方の端部を前記柱内側木質板材に当接させて前記柱内側木質板材と本接合する第２梁接合ステップと、
前記第１凹部を有する前記柱外側木質板材、または、上下に分断されて前記第２梁の上または下に配置される前記柱外側木質板材により前記柱内側木質板材を両面から挟み、前記柱外側木質板材と前記柱内側木質板材とを接合する柱外側木質板材接合ステップと、
前記第１梁の前記一対の梁外側木質板材における各々の一方の端部を前記第１凹部に嵌入させると共に前記第1梁の前記梁内側木質板材を両面から挟み、前記第１梁の前記梁外側木質板材と前記柱内側木質板材及び前記第1梁の前記梁内側木質板材とを接合する第１梁接合ステップと、
前記第２凹部に前記第２梁を嵌入し、各々の前記最外側木質板材により前記柱内側木質板材とともに前記柱外側木質板材を挟み、前記柱最外側木質板材と前記柱外側木質板材と前記柱内側木質板材とを接合する柱最外側木質板材接合ステップと、
を有することを特徴とする柱梁接合方法。
【発明の詳細な説明】
【技術分野】
【０００１】
本発明は、柱と梁とを接合する柱梁接合構造及び柱梁接合方法に関する。
【背景技術】
【０００２】
柱と梁とを接合する柱梁接合構造としては、例えば、木材や集成材などからなる柱部材と梁部材とを、柱部材の上部と梁部材の端部間に、それぞれ、金属製の接合部材を介してドリフトピンがねじ込まれて直角に接合されることが知られている（例えば、特許文献１参照）。木材や集成材などの柱部材や梁部材は、長手方向を木の繊維方向に沿わせて製造されている。すなわち、繊維方向が上下方向に沿う柱部材の側面と、柱部材と直交する水平方向に繊維方向が沿う梁部材の端面とが接合部材を介して接合されている。
【先行技術文献】
【特許文献】
【０００３】
【特許文献１】特開２０１２−９７４８３号公報
【発明の概要】
【発明が解決しようとする課題】
【０００４】
木材や集成材などからなる柱部材や梁部材は、繊維方向には強度・剛性が高いが、繊維方向以外は、強度・剛性が低い。このため、上記従来の柱梁接合構造のように、繊維方向が上下方向に沿う柱部材の側面に、柱部材と直交する水平方向に繊維方向が沿う梁部材を接合すると、梁の曲げモーメントにより柱部材の側面に支圧が作用し、梁部材の端が柱部材の側面にめり込むなどして柱部材が損傷を受ける虞がある。また、柱部材の側面に設けたガセットプレート等の鉄板を介して梁部材とドリフトピン等により接合すると、鉄板に設けた開口とドリフトピン等との間に生じる隙間により、初期剛性が低く、残留変形が生じやすい。このため、強度・剛性の高い仕口の実現が難しいという課題がある。
本発明は、このような事情に鑑みてなされたものであり、仕口の強度・剛性が高い柱梁接合構造及び柱梁接合方法を提供することを目的とする。
【課題を解決するための手段】
【０００５】
かかる目的を達成するために本発明の柱梁接合構造は、
柱と梁とが接合されている柱梁接合構造であって、
前記柱は、繊維方向が長手方向に沿う柱内側木質板材と、前記柱内側木質板材を両面から挟み繊維方向が長手方向に沿う一対の柱外側木質板材と、を有し、
前記梁は、繊維方向が長手方向に沿う梁内側木質板材と、前記梁内側木質板材を両面から挟み繊維方向が長手方向と交差する高さ方向に沿う一対の梁外側木質板材と、を有し、
前記一対の柱外側木質板材は、前記柱の長手方向と交差する幅方向に窪む凹部を有し、
前記一対の梁外側木質板材は、前記梁内側木質板材よりも前記梁の長手方向に突出する一対の外側突出部を有し、
前記一対の外側突出部が、前記凹部に嵌入されて柱と梁とが接合されていることを特徴とする柱梁接合構造である。
【０００６】
このような柱梁接合構造によれば、繊維方向が柱の長手方向に沿う一対の柱外側木質板材に各々設けられ、長手方向と交差する幅方向に窪む凹部に嵌入される梁の一対の外側突出部は、繊維方向が梁の長手方向と交差する高さ方向に沿っている。すなわち、凹部が設けられている柱外側木質板材の繊維方向と、凹部に嵌入される梁の外側突出部の繊維方向とは、同じ方向である。このため、梁の曲げモーメントは、凹部に嵌入された外側突出部から柱の繊維方向に支圧として作用するので、梁の端が柱にめり込むなどの損傷は生じ難い。また、梁の一対の外側突出部は一対の柱外側木質板材の凹部に嵌入されているので、柱と梁との接合部は、初期剛性が高く、残留変形が生じない。更に、一対の柱外側木質板材に設けられた凹部には、柱と同じ繊維方向をなす一対の外側突出部が嵌入されているので、凹部が柱の軸方向の荷重に対する断面欠損とはならない。このため、仕口の強度・剛性が高い柱梁接合構造を提供することが可能である。
【０００７】
また、交差する２方向に沿う梁と柱とが接合されている柱梁接合構造であって、
前記柱は、繊維方向が長手方向に沿う柱内側木質板材と、前記柱内側木質板材を両面から挟み繊維方向が長手方向に沿う一対の柱外側木質板材と、前記柱外側木質板材を前記柱内側木質板材と共に挟み繊維方向が長手方向に沿う柱最外側木質板材と、を有し、
前記梁は、繊維方向が長手方向に沿う梁内側木質板材と、前記梁内側木質板材を両面から挟み繊維方向が長手方向と交差する高さ方向に沿う一対の梁外側木質板材と、を有し、
前記２方向に沿う梁は、前記柱内側木質板材及び前記柱外側木質板材の面内方向に沿って接合される第１梁と、前記第１梁と交差する方向に沿って接合される第２梁であり、
前記第１梁は、前記一対の梁外側木質板材が前記梁内側木質板材よりも、当該第１梁の長手方向に突出する一対の外側突出部を有し、
前記柱において前記第１梁が接合される部位は、前記一対の柱外側木質板材が、前記柱の長手方向と交差する幅方向に窪む一対の第１凹部を有し、
前記第２梁は、前記梁内側木質板材と前記梁外側木質板材との、当該第２梁の長さ方向における一方の端部が揃えられており、
前記柱において前記第２梁が接合される部位は、前記柱外側木質板材に、前記第２梁の前記一方の端部が嵌入されて前記柱内側木質板材に当接可能な空隙を有しており、
前記柱最外側木質板材は、前記柱の幅方向において半分に分割され、分割された各々の前記柱最外側木質板材には前記第２梁が嵌入される第２凹部が各々形成されており、
前記一対の外側突出部が、前記一対の第１凹部に嵌入されて前記第１梁と前記柱とが接合されており、
前記第２梁の前記一方の端部が、前記空隙及び前記第２凹部に嵌入されて前記第２梁と前記柱とが接合されていることを特徴とする柱梁接合構造である。
【０００８】
このような柱梁接合構造によれば、柱の一対の柱外側木質板材に設けられて柱の幅方向に窪む第１凹部に嵌入される第１梁の一対の外側突出部は、繊維方向が第１梁の長手方向と交差する高さ方向に沿っている。すなわち、第１凹部が設けられている一対の柱外側木質板材の繊維方向と、第１凹部に嵌入される第１梁の一対の外側突出部の繊維方向とは、同じ方向である。このため、第１梁の曲げモーメントは、第１凹部に嵌入された外側突出部から柱の繊維方向に支圧として作用するので、第１梁の端が柱にめり込むなどの損傷は生じ難い。また、第１梁の一対の外側突出部は一対の柱外側木質板材の第１凹部に嵌入されているので、柱と第１梁との接合部は、初期剛性が高く、残留変形が生じない。更に、一対の柱外側木質板材に設けられた第１凹部には、柱と同じ繊維方向をなす一対の外側突出部が嵌入されているので、第１凹部が柱の軸方向の荷重に対する断面欠損とはならない。このため、柱と第１梁との仕口を強度・剛性が高く状態に接合することが可能である。
【０００９】
また、柱外側木質板材に設けられた空隙に嵌入されて柱内側木質板材に当接され、さらに、柱最外側木質板材の第２凹部に嵌入されている第２梁の梁外側木質板材の繊維方向と、空隙を形成する柱外側木質板材及び第２凹部を有する柱最外側木質板材の繊維方向とは、同じ方向である。このため、第２梁の曲げモーメントは、空隙及び第２凹部に嵌入されている梁外側木質板材から柱の繊維方向に支圧として作用するので、第１梁の端が柱にめり込むなどの損傷は生じ難い。また、第２梁の梁外側木質板材は空隙及び第２凹部に嵌入されているので、柱と第２梁との接合部は、初期剛性が高く、残留変形が生じない。更に、一対の柱外側木質板材が形成する空隙及び柱最外側木質板材に設けられた第２凹部には、柱と同じ繊維方向をなす梁外側木質板材が嵌入されているので、空隙及び第２凹部が柱の軸方向の荷重に対する断面欠損とはならない。このため、交差する２方向に沿う梁と柱との仕口の強度・剛性がいずれも高い柱梁接合構造を提供することが可能である。
【００１０】
かかる柱梁接合構造であって、
前記第２梁は、前記梁内側木質板材における前記一方の端部に長手方向に沿う端部孔を有し、
前記柱は、前記第２梁の前記一方の端部が当接されたときに前記端部孔と連通し、前記柱内側木質板材の面外方向に沿う柱開孔を有し、
連通している前記端部孔と前記柱開孔とには、単一の鋼棒が収容されて接着されていることを特徴とする。
【００１１】
このような柱梁接合構造によれば、連通している、第２梁の端部孔と柱の柱開孔との中に第２梁と柱とに亘って収容された単一の鋼棒が接着されているので、第２梁と柱とが確実に接合された柱梁接合構造を提供することが可能である。
【００１２】
また、交差する２方向に沿う梁と柱とが接合されている柱梁接合構造であって、
前記柱は、繊維方向が長手方向に沿う柱内側木質板材と、前記柱内側木質板材を両面から挟み繊維方向が長手方向に沿う一対の柱外側木質板材と、を有し、
前記２方向に沿う梁は、前記柱内側木質板材及び前記柱外側木質板材の面内方向に沿って接合される第１梁と、前記第１梁と交差する方向に沿って接合される第２梁であり、
前記第１梁は、繊維方向が長手方向に沿う梁内側木質板材と、前記梁内側木質板材を両面から挟み繊維方向が長手方向と交差する高さ方向に沿う一対の梁外側木質板材と、を有し、
前記一対の梁外側木質板材が前記梁内側木質板材よりも、当該第１梁の長手方向に突出する一対の外側突出部を有し、
前記柱において前記第１梁が接合される部位は、前記一対の柱外側木質板材が、前記柱の長手方向と交差する幅方向に窪む一対の第１凹部を有し、
前記一対の外側突出部が、前記一対の第１凹部に嵌入されて前記第１梁と前記柱とが接合されており、
前記第２梁は、長さ方向における一方の端部にスリットを有しており、
当該第２梁の長手方向に沿って突出されて前記柱に設けられ前記スリットに挿入されるプレートを介して接合されていることを特徴とする柱梁接合構造である。
このような柱梁接合構造によれば、第２梁の長手方向に沿って突出されて柱に設けられ、スリットに挿入されるプレートを介して、第２梁と柱とが確実に接合された柱梁接合構造を提供することが可能である。
【００１３】
かかる柱梁接合構造であって、
互いに隣り合う前記柱に各々接合されている前記梁間には、介装梁が接合されており、
前記介装梁は、繊維方向が長手方向に沿う介装梁内側木質板材と、前記介装梁内側木質板材を両面から挟み繊維方向が長手方向に沿う一対の介装梁外側木質板材と、を有し、
前記一対の介装梁外側木質板材は、前記介装梁内側木質板材よりも長手方向に突出する一対の介装梁突出部を有し、
前記梁は、前記外側突出部が設けられている側とは反対側の端部に、前記梁内側木質板材が、前記一対の梁外側木質板材よりも突出する内側突出部が設けられており、
前記一対の介装梁突出部により両側から挟まれた前記内側突出部と、前記介装梁突出部とが接合されていることを特徴とする。
【００１４】
このような柱梁接合構造によれば、柱と接合される梁は、梁外側木質板材の繊維方向が柱の繊維方向と同じ方向を向いているので、柱と梁との仕口が高い強度・剛性を備えており、互いに隣り合う柱と接合された梁間に接合される介装梁は、介装梁内側木質板材及び介装梁内側木質板材を両面から挟む一対の介装梁外側木質板材の繊維方向が、いずれも梁に適した水平方向に沿っているので、より長い広い柱間に梁を掛け渡すことが可能である。
【００１５】
かかる柱梁接合構造であって、
前記内側突出部は、前記外側突出部よりも突出量が大きいことを特徴とする。
このような柱梁接合構造によれば、梁において介装梁と接合される内側突出部は、１枚の梁内側木質板材に設けられており、柱と接合される外側突出部は、一対の梁外側木質板材に設けられている。このため、内側突出部は１枚で支圧を負担し、外側突出部は２枚で支圧を負担する。このため、１枚で支圧を負担する内側突出部の突出量を、２枚で支圧を負担する外側突出部の突出量よりも大きくすることにより、梁全体としてより大きな荷重を負担することが可能である。
【００１６】
上記柱梁接合構造の柱梁接合方法であって、
前記柱内側木質板材と、前記梁内側木質板材と、を仮接合する仮接合ステップと、
前記凹部を有する前記一対の柱外側木質板材により前記柱内側木質板材を両面から挟み、前記柱外側木質板材と前記柱内側木質板材とを接合する柱接合ステップと、
前記一対の梁外側木質板材における各々の一方の端部を前記凹部に嵌入させると共に前記梁内側木質板材を両面から挟み、前記梁外側木質板材と前記柱内側木質板材及び前記梁内側木質板材とを接合する梁接合ステップと、
を有することを特徴とする柱梁接合方法である。
【００１７】
このような柱梁接合方法によれば、凹部が設けられている柱外側木質板材と、凹部に嵌入される梁外側木質板材との繊維方向を、同じ方向に合わせて柱と梁とを容易に接合することが可能である。このため、梁の曲げモーメントは、凹部に嵌入された梁外側木質板材から柱の繊維方向に支圧として作用するので、梁の端が柱にめり込むなどの損傷が生じ難いように柱と梁とを接合することが可能である。また、柱及び梁を構成する木質板材を施工現場で積層しつつ柱梁をなすように接合することが可能なので、工場等にて接合した部材を現場に搬入する必要がない。また、大型のクレーン等が必要ないため容易に接合することが可能である。また、このように接合された柱梁の接合部は、梁の一対の梁外側木質板材が一対の柱外側木質板材の凹部に嵌入されているので、柱と梁との接合部は、初期剛性が高く、残留変形が生じない。更に、一対の柱外側木質板材に設けられた凹部には、柱と同じ繊維方向をなす一対の梁外側木質板材が嵌入されているので、凹部が柱の軸方向の荷重に対する断面欠損とはならない。このため、仕口の強度・剛性をより高く柱と梁とを接合することが可能である。
【００１８】
上記柱梁接合構造の柱梁接合方法であって、
前記柱内側木質板材と、前記第１梁を構成する前記梁内側木質板材と、を仮接合する仮接合ステップと、
前記第２梁を、前記柱内側木質板材の面外方向に沿わせ当該第２梁の一方の端部を前記柱内側木質板材に当接させて前記柱内側木質板材と本接合する第２梁接合ステップと、
前記第１凹部を有する前記柱外側木質板材、または、上下に分断されて前記第２梁の上または下に配置される前記柱外側木質板材により前記柱内側木質板材を両面から挟み、前記柱外側木質板材と前記柱内側木質板材とを接合する柱外側木質板材接合ステップと、
前記第１梁の前記一対の梁外側木質板材における各々の一方の端部を前記第１凹部に嵌入させると共に前記第1梁の前記梁内側木質板材を両面から挟み、前記第１梁の前記梁外側木質板材と前記柱内側木質板材及び前記第1梁の前記梁内側木質板材とを接合する第１梁接合ステップと、
前記第２凹部に前記第２梁を嵌入し、各々の前記最外側木質板材により前記柱内側木質板材とともに前記柱外側木質板材を挟み、前記柱最外側木質板材と前記柱外側木質板材と前記柱内側木質板材とを接合する柱最外側木質板材接合ステップと、
を有することを特徴とする柱梁接合方法である。
【００１９】
このような柱梁接合方法によれば、第１凹部が設けられている一対の柱外側木質板材と、第１凹部に嵌入される第１梁の一対の梁外側木質板材との繊維方向を、同じ方向に合わせて柱と第１梁とを容易に接合することが可能である。このため、第１梁の曲げモーメントは、第１凹部に嵌入された梁外側木質板材から柱の繊維方向に支圧として作用するので、第１梁の端が柱にめり込むなどの損傷が生じ難いように柱と第１梁とを接合することが可能である。また、第１梁の一対の梁外側木質板材は一対の柱外側木質板材の第１凹部に嵌入されているので、柱と第１梁との接合部は、初期剛性が高く、残留変形が生じない。更に、一対の柱外側木質板材に設けられた第１凹部には、柱と同じ繊維方向をなす一対の梁外側木質板材が嵌入されているので、第１凹部が柱の軸方向の荷重に対する断面欠損とはならない。
【００２０】
また、空隙及び第２凹部に嵌入される第２梁の梁外側木質板材の繊維方向と、空隙を形成する柱外側木質板材、第２凹部を有する柱最外側木質板材、及び、柱内側木質板材の繊維方向とを、同じ方向に合わせて柱と第２梁とを容易に接合することが可能である。このため、第２梁の曲げモーメントは、空隙及び第２凹部に嵌入されている梁外側木質板材から柱の繊維方向に支圧として作用するので、第２梁の端が柱にめり込むなどの損傷は生じ難いように柱と第２梁とを接合することが可能である。また、第２梁の梁外側木質板材は空隙及び第２凹部に嵌入されているので、柱と第２梁との接合部は、初期剛性が高く、残留変形が生じない。更に、一対の柱外側木質板材が形成する空隙及び柱最外側木質板材に設けられた第２凹部には、柱と同じ繊維方向をなす梁外側木質板材が嵌入されているので、空隙及び第２凹部が柱の軸方向の荷重に対する断面欠損とはならない。このため、交差する２方向に沿う第１梁及び第２梁と柱との仕口の強度・剛性がいずれも高い柱梁接合構造を提供することが可能である。
【発明の効果】
【００２１】
本発明によれば、仕口の強度・剛性が高い柱梁接合構造及び柱梁接合方法を提供することが可能である。
【図面の簡単な説明】
【００２２】
【図１】第１実施形態に係る柱梁接合構造を示す斜視図である。
【図２】第１実施形態に係る柱梁接合構造を示す横断面図である。
【図３】第１実施形態に係る柱梁接合構造の構成を示す分解斜視図である。
【図４】第１実施形態の柱梁接合構造における柱と梁の接合方法を示す図である。
【図５】１本の梁と柱とが接合された柱梁接合構造の構成を示す分解斜視図である。
【図６】第２実施形態に係る柱梁接合構造を示す横断面図である。
【図７】第２実施形態に係る柱梁接合構造の構成を示す分解斜視図である。
【図８】第２実施形態の柱梁接合構造における柱と梁の接合方法を示す図である。
【図９】２本の第１梁及び１本の第２梁と柱とが接合されている柱梁接合構造を示す横断面図である。
【図１０】２本の第１梁及び１本の第２梁と柱とが接合されている柱梁接合構造をの構成を示す分解斜視図である。
【図１１】１本の第１梁及び１本の第２梁と柱とが接合されている柱梁接合構造を示す横断面図である。
【図１２】１本の第１梁及び１本の第２梁と柱とが接合されている柱梁接合構造をの構成を示す分解斜視図である。
【図１３】隣り合う柱に設けられている梁間に接合される介装梁との接合構造を示す斜視図である。
【図１４】第１実施形態の柱梁接合部にガセットプレートを用いて柱積層方向に沿う梁を接合する変形例を示す斜視図である。
【発明を実施するための形態】
【００２３】
以下、本発明の柱梁接合構造及び柱梁接合方法を、図を用いて説明する。
本実施形態の柱梁接合構造により接合される柱１及び梁２は、図１、図２に示すように、断面が略矩形状をなし、製材、集成材、ＬＶＬ等の板状をなす３枚の木質板材が積層され、積層されている積層方向に、例えばシネジック株式会社製パネリード(登録商標)ビス等の綴り材３が貫入されて一体化されている。尚、図面では、３枚の木質板材を綴る全ての綴り材及び柱と梁とを接合する全ての綴り材を示すと図面が不明瞭となるため綴り材３は一部のみを示すものとする。
【００２４】
以下の説明においては、柱１を構成する３枚の木質板材のうちの真ん中に配置される木質板材を柱内側木質板材１０と称し、柱内側木質板材１０を両面から挟む一対の木質板材を柱外側木質板材１１と称することとする。また、梁２を構成する３枚の木質板材のうちの真ん中に配置される木質板材を梁内側木質板材２０と称し、梁内側木質板材２０を両面から挟む一対の木質板材を梁外側木質板材２１と称することとする。本実施形態においては、柱１を構成する３枚の木質板材及び梁２を構成する３枚の木質板材はいずれも、複数の単板の繊維方向を揃えて積層し接着した単板積層材（ＬＶＬ）であり、同じ厚みをなしている。
【００２５】
また、以下の説明においては、柱１が鉛直に立てられている状態で、上下となる方向を上下方向、柱１を構成する木質板材が積層されている方向を柱積層方向、柱積層方向と直交する水平方向を柱幅方向として示す。また、図面において、貫入されている綴り材３を示す場合には、太い破線で示すものとする。また、各木質板材の繊維方向を、各々の木質板材表面に矢印にて示している。
まず、第１実施形態の柱梁接合構造として、鉛直に立てられた柱１に対し、柱幅方向に沿って柱１の両側に梁２が接合されている場合について説明する。
【００２６】
柱幅方向に沿って柱１の両側に２本の梁２が接合される場合には、図１〜図３に示すように、柱１を構成する柱内側木質板材１０及び一対の柱外側木質板材１１はいずれも繊維が上下方向に沿っている。一対の柱外側木質板材１１には、梁２が設けられる位置に、柱幅方向における両側から、柱幅方向の中央側に窪む凹部１１ａが各々設けられている。凹部１１ａは、接合される梁２の梁成Ｈとほぼ同じ高さを有し、柱１の幅Ｗ１のほぼ１／３の深さＤに形成されている。
【００２７】
柱１を構成する柱内側木質板材１０には、凹部１１ａの上下方向の高さの中央に位置させて水平方向及び柱内側木質板材１０の面内方向に沿って貫通する柱開孔１０ａが形成されている。
【００２８】
梁２を構成する梁内側木質板材２０は、繊維方向が長手方向に沿っており、一対の梁外側木質板材２１は、繊維方向が長手方向と直交する上下方向に沿っている。
【００２９】
梁２は、長さ方向において柱１側に配置される端部にて、一対の梁外側木質板材２１が、梁内側木質板材２０よりも長手方向に突出する外側突出部２１ａを有している。外側突出部２１ａの突出量Ｌ１は、柱１に設けられている凹部１１ａの柱幅方向の深さＤとほぼ同じである。
【００３０】
２本の梁２の各梁内側木質板材２０の柱１側に配置される端部には、上下方向における中央に位置させて、柱１に接合されたときに柱開孔１０ａと繋がる端部孔２０ａが梁２の長手方向及び各梁内側木質板材２０の面内方向に沿って形成されている。
【００３１】
２本の梁２を柱１と接合する柱梁接合方法は、図４に示すように、まず、施工現場において、柱内側木質板材１０の面内方向となる柱幅方向に設けられている柱開孔１０ａに鋼棒４を柱幅方向における両側から挿通させて各々突出させ、この柱開孔１０ａと、２本の梁２の梁内側木質板材２０の端部孔２０ａとに接着剤を注入した状態で、端部孔２０ａ内に鋼棒４を挿入しつつ各梁内側木質板材２０を柱内側木質板材１０に当接させる（仮接合ステップＳ１）。このとき、柱開孔１０ａと２つの端部孔２０ａとが繋がった空間を形成し、空間内には梁内側木質板材２０と柱内側木質板材１０とに亘る鋼棒４が収容され接着剤により接着される。梁内側木質板材２０と柱内側木質板材１０とに亘って内在する鋼棒４の接着により２つの梁内側木質板材２０と柱内側木質板材１０とが仮接合される。この状態で、柱内側木質板材１０の繊維方向は上下方向に沿い、梁内側木質板材２０の繊維方向は水平方向に沿っている。
【００３２】
次に、柱幅方向の中央側に窪む凹部１１ａが設けられている柱外側木質板材１１により、柱内側木質板材１０を両面から挟むように柱外側木質板材１１を重ね、柱積層方向に両側から綴り材３を貫入して柱内側木質板材１０と柱外側木質板材１１とを接合する（柱接合ステップＳ２）。接合された柱外側木質板材１１の繊維方向は上下方向に沿い、柱内側木質板材１０の繊維方向と一致している。
【００３３】
次に、柱内側木質板材１０と柱外側木質板材１１とが接合されて形成された柱１の凹部１１ａに、梁２の梁外側木質板材２１を嵌入し、梁外側木質板材２１と柱内側木質板材１０とを綴り材３を貫入して梁外側木質板材２１と柱内側木質板材１０とを接合する（梁接合ステップＳ３）。このとき、梁外側木質板材２１の凹部１１ａに嵌入された部位が、外側突出部２１ａに相当する。梁外側木質板材２１の繊維方向は、上下方向に沿っているので、柱内側木質板材１０、及び、柱外側木質板材１１の繊維方向と一致している。
【００３４】
第１実施形態の柱梁接合構造によれば、繊維方向が柱１の長手方向に沿う一対の柱外側木質板材１１に各々設けられ、長手方向と交差する幅方向に窪む凹部１１ａに嵌入される梁２の一対の外側突出部２１ａは、繊維方向が梁２の長手方向と交差する高さ方向に沿っている。すなわち、凹部１１ａが設けられている柱外側木質板材１１の繊維方向と、凹部１１ａに嵌入される梁２の外側突出部２１ａの繊維方向とは、同じ方向である。このため、梁２の曲げモーメントは、凹部１１ａに嵌入された外側突出部２１ａから柱１の繊維方向に支圧として作用するので、梁２の端が柱１にめり込むなどの損傷は生じ難い。
【００３５】
また、梁２の一対の外側突出部２１ａは一対の柱外側木質板材１１の凹部１１ａに嵌入されているので、柱１と梁２との接合部は、初期剛性が高く、残留変形が生じない。更に、一対の柱外側木質板材１１に設けられた凹部１１ａには、柱１と同じ繊維方向をなす一対の外側突出部２１ａが嵌入されているので、凹部１１ａが柱１の軸方向の荷重に対する断面欠損とはならない。このため、仕口の強度・剛性が高い柱梁接合構造を提供することが可能である。
【００３６】
また、柱１の両側に配置される２本の梁２の梁内側木質板材２０に設けられた各端部孔２０ａと、柱１の柱内側木質板材１０に設けられた柱開孔１０ａとが連通し、その中に、一方の梁２の梁内側木質板材２０から他方の梁２の梁内側木質板材２０に亘る鋼棒４が設けられて接着されているので、柱１と２本の梁２とをより強く接合することが可能である。
【００３７】
また、本実施形態の柱梁の接合方法によれば、凹部１１ａが設けられている柱外側木質板材１１と、凹部１１ａに嵌入される梁外側木質板材２１との繊維方向を、同じ方向に合わせて柱１と梁２とを容易に接合することが可能である。このため、梁２の曲げモーメントは、凹部１１ａに嵌入された梁外側木質板材２１から柱１の繊維方向に支圧として作用するので、梁２の端が柱１にめり込むなどの損傷が生じ難いように柱１と梁２とを接合することが可能である。また、柱１及び梁２を構成する木質板材１０、１１、２０、２１を施工現場で積層しつつ柱梁をなすように接合することが可能なので、工場等にて接合した部材を現場に搬入する必要がない。また、大型のクレーン等が必要ないため容易に接合することが可能である。また、このように接合された柱梁の接合部は、梁２の一対の梁外側木質板材２１が一対の柱外側木質板材１１の凹部１１ａに嵌入されているので、柱１と梁２との接合部は、初期剛性が高く、残留変形が生じない。更に、一対の柱外側木質板材１１に設けられた凹部１１ａには、柱１と同じ繊維方向をなす一対の外側突出部２１ａが嵌入されているので、凹部１１ａが柱２の軸方向の荷重に対する断面欠損とはならない。このため、仕口の強度・剛性をより高く柱１と梁２とを接合することが可能である。
【００３８】
第１実施形態においては、柱１の柱内側木質板材１０を幅方向に貫通し、２本の梁２の梁内側木質板材２０間に亘る鋼棒４を備えている例について説明したが、鋼棒４は必ずしも備えられていなくとも構わない。
【００３９】
第１実施形態においては、柱１の両側に２本の梁２が接合されている場合について説明したが、図５に示すように、梁２が柱１の一方側のみに１本接合されている場合には、柱１を構成する一対の柱外側木質板材１１の、梁２が接合される側のみに、第１実施形態と同様の凹部１１ａを形成し、第１実施形態と同一の梁２を接合する。すなわち、梁２の外側突出部２１ａを凹部１１ａに嵌入し、外側突出部２１ａと柱内側木質板材１０とに亘るように綴り材３を貫入して柱１と１本の梁２とを接合する。
【００４０】
次に、第２実施形態の柱梁接合構造として、図６、図７に示すように、鉛直に立てられた柱１に対し、柱幅方向における柱１の両側と、柱幅方向と直交する柱積層方向における柱１の両側とに梁２、５が接合されている場合について説明する。以下の説明においては、柱幅方向における柱１の両側にて柱内側木質板材及び柱外側木質板材の面内方向に沿って接合される梁２を第１梁２といい、柱幅方向と直交する柱積層方向における柱１の両側にて第１梁と交差する方向に沿って接合される梁５を第２梁という。
【００４１】
第２実施形態の第１梁２及び第２梁５の梁内側木質板材２０、５０はいずれも、繊維方向が長手方向に沿っており、一対の梁外側木質板材２１、５１は、繊維方向が長手方向と直交する上下方向に沿っている。
【００４２】
第２梁５の柱１と接合される側の端部５ｂは、梁内側木質板材５０の端面と一対の梁外側木質板材５１の端面とが同一平面を形成するように平坦に揃えられている。第２梁５は、平坦に揃えられた端面５ａが、柱内側木質板材１０に当接されて接合される。第２梁５の柱１と接合される側の端面５ａには、梁内側木質板材５０の上下方向に間隔を隔てて複数の端部孔５０ａが、第２梁５の長手方向に沿って形成されている。
【００４３】
第１梁２は、第１実施形態の梁２と同様に、一対の梁外側木質板材２１が、梁内側木質板材２０よりも、第１梁２の長手方向に突出する外側突出部２１ａを有している。第１梁２の外側突出部２１ａの突出量Ｌ１は、柱１に設けられている凹部１１ａの柱幅方向の深さＤとほぼ同じに形成されている。第１梁２の各梁内側木質板材２０の柱１側に配置される端部には、第１実施形態の梁２と同様に、上下方向における中央に位置させて、柱１に接合されたときに柱開孔１０ａと繋がる端部孔２０ａが梁２の長手方向に沿って形成されている。
【００４４】
第２実施形態の柱１は、第１実施形態の柱１と同様に、柱内側木質板材１０及び一対の柱外側木質板材１１を有し、更に、一対の柱外側木質板材１１を両面から挟む一対の柱最外側木質板材１２を有している。第２実施形態の柱内側木質板材１０、一対の柱外側木質板材１１、及び一対の柱最外側木質板材１２は、いずれも繊維方向が上下方向に沿っている。
【００４５】
第２実施形態の柱１を構成する柱外側木質板材１１は、第１実施形態の柱外側木質板材１１の凹部１１ａと同様の第１凹部１１ｃが、柱外側木質板材１１に２つ設けられ、２つの第１凹部１１ｃ間に第２梁５の端部５ｂが挿入される空隙１１ｂが形成される。２つの第１凹部１１ｃ間の間隔Ｗ２と第２梁５の積層方向の厚みｔとは等しいので、２本の第２梁５と２本の第１梁２とが接合される本実施形態の柱１の場合には、２つの第１凹部１１ｃと空隙１１ｂとが繋がっている。すなわち第２実施形態の柱１を構成する柱外側木質板材１１は、第２梁５が設けられる位置に、２つの第１凹部１１ｃと空隙１１ｂとが設けられることにより梁成とほぼ同じ間隔で上下方向に隔てて分断されている。そして、上側の柱外側木質板材１１の下端の位置が、第２梁５の上面の位置とほぼ一致し、下側の柱外側木質板材１１の上端の位置が、第２梁５の下面の位置とほぼ一致している。
【００４６】
柱１をなす柱内側木質板材１０には、第２梁５の端面５ａが当接されたときに第２梁５の端部孔５０ａと繋がる柱開孔１０ｂが柱内側木質板材１０の面外方向となる厚み方向に貫通させて設けられている。また、柱内側木質板材１０には、第１実施形態の柱１と同様に、第１凹部１１ｃの上下方向の高さの中央に位置させて水平方向に沿って貫通する柱開孔１０ａが形成されている。
【００４７】
２本の第１梁２及び２本の第２梁５を柱１と接合する柱梁接合方法は、図８に示すように、まず、柱内側木質板材１０の面内方向となる柱幅方向に設けられている柱開孔１０ａに鋼棒４を柱幅方向における両側から挿通させて各々突出させ、この柱開孔１０ａと、２本の第１梁２の梁内側木質板材２０の端部孔２０ａとに接着剤を注入した状態で、端部孔２０ａ内に鋼棒４を挿入しつつ各梁内側木質板材２０を柱内側木質板材１０に当接させる。このとき、柱開孔１０ａと２つの端部孔２０ａとが繋がった空間を形成し、空間内には梁内側木質板材２０と柱内側木質板材１０とに亘る鋼棒４が収容され接着剤により接着される。梁内側木質板材２０と柱内側木質板材１０とに亘って内在する鋼棒４の接着により２つの梁内側木質板材２０と柱内側木質板材１０とが仮接合される（仮接合ステップＳ１１）。この状態で、柱内側木質板材１０の繊維方向は上下方向に沿い、梁内側木質板材２０の繊維方向は水平方向に沿っている。
【００４８】
次に、柱内側木質板材１０の面外方向となる柱積層方向に設けられている柱開孔１０ｂに鋼棒４を柱積層方向から挿通し、柱開孔１０ｂ及び、２本の第２梁５に各々設けられている端部孔５０ａに接着剤を注入した状態で、端部孔５０ａに鋼棒４を挿入しつつ各第２梁５の端面５ａを柱内側木質板材１０に当接させる。このとき、柱開孔１０ｂと２つの端部孔５０ａとが繋がった空間を形成し、空間内には一方の第２梁５の梁内側木質板材５０から柱内側木質板材１０に亘る鋼棒４が収容され接着剤により接着される。梁内側木質板材５０と柱内側木質板材１０とに亘って内在する鋼棒４の接着により２本の第２梁５と柱内側木質板材１０とが本接合される（第２梁接合ステップＳ１２）。この状態で、第２梁５の梁内側木質板材５０の繊維方向は、第２梁５の長手方向となる水平方向に沿い、梁外側木質板材５１の繊維方向は上下方向に沿っている。
【００４９】
次に、接合された第２梁５の上及び下に当接させると共に、柱内側木質板材１０を両面から挟むように柱外側木質板材１１を重ね、柱積層方向に綴り材３を貫入して柱内側木質板材１０と柱外側木質板材１１とを接合する（柱外側木質板材接合ステップＳ１３）。このとき、柱内側木質板材１０の、積層方向における両側に、第２梁５を挟むように第１凹部１１ｃが形成される。また、接合された柱外側木質板材１１の繊維方向は上下方向に沿い、第２梁５の梁外側木質板材５１の繊維方向と一致している。
【００５０】
次に、柱１に形成された第１凹部１１ｃに、第１梁２の梁外側木質板材２１を嵌入し、梁外側木質板材２１と柱内側木質板材１０とを、綴り材３を貫入して仮接合する（第１梁接合ステップＳ１４）。このとき、梁外側木質板材２１の凹部１１ａに嵌入された部位が、外側突出部２１ａに相当する。梁外側木質板材２１の繊維方向は、上下方向に沿っているので、柱内側木質板材１０、柱外側木質板材１１、及び、第２梁５の梁外側木質板材５１の繊維方向と一致している。
【００５１】
次に、柱積層方向の両側において柱外側木質板材１１よりも突出している第２梁５を、分割されている２つの柱最外側木質板材１２の第２凹部１２ａに各々嵌入させつつ柱最外側木質板材１２を、柱外側木質板材１１に重ね合わせて当接させる。柱１の両側にて、柱最外側木質板材１２側から綴り材３を貫入して柱最外側木質板材１２と柱外側木質板材１１と柱内側木質板材１０とを本接合する（柱最外側木質板材接合ステップＳ１５）。接合された柱最外側木質板材１２の繊維方向は、上下方向に沿っているので、柱内側木質板材１０、柱外側木質板材１１、第２梁５の梁外側木質板材５１及び、梁内側木質板材２０の繊維方向と一致している。
【００５２】
第２実施形態の柱梁接合構造によれば、柱１の一対の柱外側木質板材１１に設けられて柱の幅方向に窪む第１凹部１１ｃに嵌入される第１梁２の一対の外側突出部２１ａは、繊維方向が第１梁２の長手方向と交差する高さ方向に沿っている。すなわち、第１凹部１１ｃが設けられている一対の柱外側木質板材１１の繊維方向と、第１凹部１１ｃに嵌入される第１梁２の一対の外側突出部２１ａの繊維方向とは、同じ方向である。このため、第１梁２の曲げモーメントは、第１凹部１１ｃに嵌入された外側突出部２１ａから柱１の繊維方向に支圧として作用するので、第１梁２の端が柱１にめり込むなどの損傷は生じ難い。
【００５３】
また、第１梁２の一対の外側突出部２１ａは一対の柱外側木質板材１１の第１凹部１１ｃに嵌入されているので、柱１と第１梁２との接合部は、初期剛性が高く、残留変形が生じない。更に、一対の柱外側木質板材１１に設けられた第１凹部１１ｃには、柱１と同じ繊維方向をなす一対の外側突出部２１ａが嵌入されているので、第１凹部１１ｃが柱１の軸方向の荷重に対する断面欠損とはならない。このため、柱１と第１梁２との仕口を強度・剛性が高く状態に接合することが可能である。
【００５４】
また、柱内側木質板材１０に当接された状態で、柱外側木質板材１１により形成される空隙１１ｂに嵌入されており、さらに、柱最外側木質板材１２の第２凹部１２ａにも嵌入されている第２梁５の梁外側木質板材５１の繊維方向と、空隙１１ｂを形成する柱外側木質板材１１及び第２凹部１２ａを有する柱最外側木質板材１２の繊維方向とは、同じ方向である。このため、第２梁５の曲げモーメントは、空隙１１ｂ及び第２凹部１２ａに嵌入されている梁外側木質板材５１から柱１の繊維方向に支圧として作用するので、第２梁５の端が柱１にめり込むなどの損傷は生じ難い。
【００５５】
また、第２梁５の梁外側木質板材５１は空隙１１ｂ及び第２凹部１２ａに嵌入されているので、柱１と第２梁５との接合部は、初期剛性が高く、残留変形が生じない。更に、一対の柱外側木質板材５１が形成する空隙１１ｂ及び柱最外側木質板材１２に設けられた第２凹部１２ａには、柱１と同じ繊維方向をなす梁外側木質板材５１が嵌入されているので、空隙１１ｂ及び第２凹部１２ａが柱１の軸方向の荷重に対する断面欠損とはならない。このため、交差する２方向に沿う梁２、５と柱１との仕口の強度・剛性がいずれも高い柱梁接合構造を提供することが可能である。
【００５６】
また、第２実施形態の柱梁接合方法によれば、第１凹部１１ｃを形成する一対の柱外側木質板材１１と、第１凹部１１ｃに嵌入される第１梁２の一対の梁外側木質板材２１との繊維方向を、同じ方向に合わせて柱１と梁２とを容易に接合することが可能である。このため、第１梁２の曲げモーメントは、第１凹部１１ｃに嵌入された梁外側木質板材２１から柱１の繊維方向に支圧として作用するので、第１梁２１の端が柱１にめり込むなどの損傷が生じ難いように柱１と第１梁２とを接合することが可能である。また、第１梁２の一対の梁外側木質板材２１は一対の柱外側木質板材１１の第１凹部１１ｃに嵌入されているので、柱１と第１梁２との接合部は、初期剛性が高く、残留変形が生じない。更に、一対の柱外側木質板材１１に設けられた第１凹部１１ｃには、柱１と同じ繊維方向をなす一対の梁外側木質板材２１が嵌入されているので、第１凹部１１ｃが柱１の軸方向の荷重に対する断面欠損とはならない。このため、柱１と第１梁２及び第２梁５との仕口を強度・剛性が高く状態に接合することが可能である。
【００５７】
上記第２実施形態においては、２本の第２梁５と２本の第１梁２とが柱１に接合される柱梁接合構造について説明したが、第２梁５は、必ずしも２本でなくとも構わず、図９、図１０に示すように１本の第２梁５と２本の第１梁２とが柱１に接合される場合には、柱１において第２梁５が接合されない側の柱外側木質板材１１には、第２実施形態の柱１のような空隙１１ｂは設けず、第１実施形態の柱１の柱外側木質板材１１と同様に、柱幅方向における両側から、柱幅方向の中央側に窪む第１凹部１１ｃが各々設けられている。第２実施形態のように、交差する２方向に沿う第１梁２及び第２梁５と柱１とが接合される場合においては、第２梁５が設けられない側の柱外側木質板材１１と、第２梁５が設けられる側の柱外側木質板材１１と、で形状が相違する。より具体的には、第２梁５が設けられない側の柱外側木質板材１１は、第１梁２が両側に設けられている場合には、第１実施形態の凹部１１ａと同様に、柱幅方向における両側から、柱幅方向の中央側に窪む第１凹部１１ｃが設けられており、第１梁２が片側のみに設けられている場合には、柱幅方向の中央側に窪む第１凹部１１ｃが柱幅方向における片側のみに設けられている。また、第２梁５が設けられる側の柱外側木質板材１１は、第１梁２が両側に設けられている場合には、柱幅方向における両側から、柱幅方向の中央側に窪む第１凹部１１ｃと、第２梁５が設けられる空隙１１ｂとが繋がることにより上下に分断されており、第１梁２が片側のみに設けられている場合には、柱幅方向の中央側に窪む第１凹部１１ｃと、第２梁５が設けられる空隙１１ｂとが繋がっており、第１梁２が設けられていない側において上下が繋がっている。このように、交差する２方向に沿う第１梁２及び第２梁５と柱１とが接合される場合においては、第２梁５が設けられる側の柱外側木質板材１１は、第２梁５が設けられる空隙１１ｂと繋がった第１凹部１１ｃを有している。
【００５８】
また、柱１において第２梁５が接合されない側には、柱最外側木質板材１２も設けられない。このため、２本の第１梁２が各々有する２つの外側突出部２１ａのうちの一方は、柱外側木質板材１１に設けられた第１凹部１１ｃに嵌入されており、他方は、２つの第１凹部１１ｃと空隙１１ｂとが繋がって上下に間隔を隔てて分断されている柱外側木質板材１１間に嵌入されており、綴り材３が貫入されて柱１と第１梁２とが接合されている。さらに、上下に間隔を隔てて分断されている柱外側木質板材１１間に嵌入されている外側突出部２１ａ間に形成された空隙１１ｂと、柱最外側木質板材１２の第２凹部１２ａに第２梁５の端部５ｂが嵌入されており、鋼棒４により第２梁５と柱１とが接合されている。
【００５９】
また、図１１、図１２に示すように１本の第２梁５と１本の第１梁２とが柱１に接合される場合には、柱１において第２梁５が接合されない側の柱外側木質板材１１には、柱幅方向における一方側に柱幅方向の中央側に窪む第１凹部１１ｃが設けられており、第２梁５が接合される側の柱外側木質板材１１には、柱幅方向における一方側に柱幅方向の中央側に窪む第１凹部１１ｃと、第１凹部１１ｃと繋がる空隙１１ｂとが設けられている。
【００６０】
また、柱１において第２梁５が接合されない側には、柱最外側木質板材１２は設けられない。このため、１本の第１梁２が各々有する２つの外側突出部２１ａのうちの一方は、柱外側木質板材１１に設けられた第１凹部１１ｃに嵌入されており、他方は、第１凹部１１ｃと空隙１１ｂとが繋がった柱外側木質板材１１の第１凹部１１ｃに嵌入されており、綴り材３が貫入されて柱１と第１梁２とが接合されている。さらに、第１凹部１１ｃと繋がった空隙１１ｂに嵌入された第２梁５は、柱外側木質板材１１に重ねられて綴り材３により接合された柱最外側木質板材１２の第２凹部１２ａに第２梁５が嵌入されており、鋼棒４により柱１とを接合されている。
【００６１】
第１実施形態及び第２実施形態の柱梁接合構造により梁２、５が接合された柱１は、適宜間隔を隔てて複数設けられており、互いに隣り合う柱１には、各々柱１に接合されている梁２、５間に介装梁６が接合される。介装梁６は、繊維方向が長手方向に沿う介装梁内側木質板材６０と、介装梁内側木質板材６０を両面から挟み繊維方向が長手方向に沿う一対の介装梁外側木質板材６１と、を有している。
【００６２】
第１実施形態及び第２実施形態の梁２、５において、柱１と接合されていない側の端部は、例えば、第１梁２の場合には、図１３に示すように、梁内側木質板材２０が、一対の梁外側木質板材２１よりも突出する内側突出部２０ｂが設けられている。一方、介装梁６は、一対の介装梁外側木質板材６１が介装梁内側木質板材６０よりも介装梁６の長手方向に突出する介装梁突出部６１ａを有している。そして、梁２と介装梁６とは、介装梁突出部６１ａにより内側突出部２０ｂを両側から挟み綴り材３により接合されている。このとき、内側突出部２０ｂの突出量Ｌ２は、外側突出部２１ａの突出量Ｌ１(図３)よりも大きく突出されている。
【００６３】
すなわち、柱１と接合される梁２、５は、梁外側木質板材２１、５１の繊維方向が柱１の繊維方向と同じ方向を向いているので、柱１と梁２、５との仕口が高い強度・剛性を備えており、互いに隣り合う柱１と接合された梁２、５間に接合される介装梁６は、介装梁内側木質板材６０及び介装梁内側木質板材６０を両面から挟む一対の介装梁外側木質板材６１が、いずれも梁に適した水平方向に沿っているので、介装梁６を掛け渡すことにより、隣り合う柱１の間隔を広くすることが可能である。
【００６４】
また、梁２において介装梁６と接合される内側突出部２０ｂは、１枚の梁内側木質板材２０に設けられており、柱１と接合される外側突出部２１ａは、一対の梁外側木質板材２１に設けられている。このため、内側突出部２０ｂは１枚で支圧を負担し、外側突出部２１ａは２枚で支圧を負担する。このため、１枚で支圧を負担する内側突出部２０ｂの突出量Ｌ２を、２枚で支圧を負担する外側突出部２１ａの突出量Ｌ１よりもが大きくすることにより、梁全体としてより大きな荷重を負担することが可能である。
【００６５】
尚、第２実施形態においては、柱積層方向に沿う梁５を、金属製の部材を介在させることなく柱１と接合する例について説明したが、第１実施形態のように、柱幅方向に沿う梁が接合された柱１に、例えば、図１４に示すように、柱１の柱外側木質部材に当接させてプレートとしてのガセットプレート７をボルト８等により接合し、スリット９ａが設けられた柱積層方向に沿う梁９に綴り材３を貫入させてガセットプレート７を介して柱１と接合しても構わない。
【００６６】
以上、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６７】
１  柱、２  梁(第１梁)、３  綴り材、４  鋼棒、５  梁（第２梁）、
５ｂ  一方の端部、６  介装梁、７  ガセットプレート(プレート)、９ａ  スリット、
１０  柱内側木質板材、１０ａ  柱開孔、１０ｂ  柱開孔、
１１  柱外側木質板材、１１ａ  凹部、１１ｂ  空隙、１１ｃ  第１凹部、
１２  柱最外側木質板材、１２ａ  第２凹部、２０  梁内側木質板材、
２０ｂ  内側突出部、２１  梁外側木質板材、２１ａ  外側突出部、
５０  梁内側木質板材、５０ａ  端部孔、５１  梁外側木質板材、
６０  介装梁内側木質板材、６１  介装梁外側木質板材、６１ａ  介装梁突出部、
Ｌ１  外側突出部の突出量、Ｌ２  内側突出部の突出量
【図１】
2019203321.tif 000003
【図２】
2019203321.tif 000004
【図３】
2019203321.tif 000005
【図４】
2019203321.tif 000006
【図５】
2019203321.tif 000007
【図６】
2019203321.tif 000008
【図７】
2019203321.tif 000009
【図８】
2019203321.tif 000010
【図９】
2019203321.tif 000011
【図１０】
2019203321.tif 000012
【図１１】
2019203321.tif 000013
【図１２】
2019203321.tif 000014
【図１３】
2019203321.tif 000015
【図１４】
2019203321.tif 000016